(57)【要約】      （修正有）【課題】接続プラグを有するシースチューブ光ファイバーを提供する。【解決手段】主に光ファイバーケーブル１１と、光ファイバー接続具１２と、外付けプラグ１３とを組み合わせてなる。光ファイバー接続具１２を用いて光ファイバーケーブル１１の端部に固定し、光ファイバー本体１１１を露出させることによって、光ファイバー接続具１２を外付けプラグ１３の内部に結合し、光ファイバー本体１１１を外付けプラグ１３の外付け端と光接続することができる。接続プラグを有するシースチューブ光ファイバー１を光ファイバーケーブル１１の光ファイバー本体１１１と、シースチューブ層と、ケーブル外壁層とを同時に固定することができる。さらに、外付けプラグ１３を介して、外部装置または外部光ファイバープラグと直接に信号接続することができる。【選択図】図２
0003201389.tif 000002
【実用新案登録請求の範囲】
【請求項１】
接続プラグを有するシースチューブ光ファイバーであって、
光ファイバー本体と、シースチューブ層と、緩衝層と、ケーブル外壁層から構成され、
前記シースチューブ層を前記光ファイバー本体の外部に覆っていて、かつ前記緩衝層を前記シースチューブ層と、前記ケーブル外壁層との間に設ける光ファイバーケーブルと、
前記光ファイバーケーブルの端部を覆設していて、光ファイバー本体開口部を有し、そのうち、前記光ファイバー本体の一つの端部は前記光ファイバー本体開口部を通して先端から露出する光ファイバー接続具と、
外付け端と、接続具結合端とを含む接続プラグと、を含み、
前記光ファイバー接続具を前記接続具結合端に備える接続具収容溝の内部に挿設することによって、前記光ファイバー接続具の先端から露出する光ファイバー本体を前記外付けプラグに挿入して、前記外付け端と光接続することを特徴とする、
シースチューブ光ファイバー。
【請求項２】
前記シースチューブ層はらせん金属から構成していて、かつ前記らせん金属は弾性特性を有し外力によって引き伸ばすことができ、前記緩衝層は複数本の芳香族ナイロン繊維から構成することを特徴とする、請求項１記載の接続プラグを有するシースチューブ光ファイバー。
【請求項３】
ケーブル収容溝と、第１光ファイバー本体開口部と、光ファイバー本体固定用ブロックと、複数の上部被覆体結合具収容体とを構成する収容体と、繊維収容溝と、第２光ファイバー本体開口部と、両側に形成する２つの収容体結合具と、光ファイバー本体固定ブロック結合口とを構成する上部被覆体と、を含み、前記収容体と前記上部被覆体は前記上部被覆体結合具を介して、前記収容体結合具と互いに結合され、前記上部被覆体を前記収容体に結合しているとき、前記第１光ファイバー本体開口部と、前記第２光ファイバー本体開口部とを囲い込んで前記光ファイバー本体開口部を形成し、前記ケーブル収容溝に複数の固定用突起ブロックをその内壁に形成していて、かつ前記光ファイバー本体固定用突起ブロックにＶ溝を形成し、前記Ｖ溝の内壁に複数の取付突起縞を形成し、前記上部被覆体を前記収容体に結合しているとき、前記光ファイバー本体固定ブロックが貫いて、前記光ファイバー本体固定ブロック結合口の内部に取り付けられ、前記光ファイバーケーブル端部を前記光ファイバー接続具で覆うときは、前記芳香族ナイロン繊維は前記繊維収容溝を貫いて、前記光ファイバー接続具の外部に露出することを特徴とする、請求項２記載の接続プラグを有するシースチューブ光ファイバー。
【請求項４】
前記外付けプラグは、前記外付けプラグの外付け端に蓋閉めて外付け端子保護部を形成し、外付け端の端子に対応して覆う外付け端蓋体と、光ファイバーケーブル被覆ブロックを有し、前記光ファイバー接続具締結素子は、前記光ファイバー接続具を覆わせることによって前記接続具結合端に締結され、前記光ファイバー接続具を前記接続具収容溝の内部に挿設して結合する光ファイバー接続具締結素子と、を含み、前記光ファイバー接続具締結素子は前接続具結合端のねじ山を介して前接続具結合端に締結され、さらに前接続具結合端にＶ字繊維収容切り欠きを更に開けられ、前光ファイバー接続具を前接続具収容溝の内部に挿設しているとき、前記芳香族ナイロン繊維が前記Ｖ字繊維収容切り欠きを通して露出することができることを特徴とする、請求項２記載の接続プラグを有するシースチューブ光ファイバー。
【考案の詳細な説明】
【技術分野】
【０００１】
本考案はシースチューブ光ファイバーの技術分野に関し、特に接続プラグを有するシースチューブ光ファイバーに関する。
【背景技術】
【０００２】
光ファイバーケーブルは屈折角度があまり大きくできないため、一般の銅ケーブルのような丈夫さに及ばない。そのため、シースチューブ光ファイバーケーブルを現在の光ファイバー構造に応用するようになっている。
【考案の概要】
【考案が解決しようとする課題】
【０００３】
公知のシースチューブ光ファイバー技術は金属シースチューブを用いて、直接に光ファイバー裸線の外部を覆って光ファイバー裸線を保護しておき、不適切な屈折による損傷を避けている。しかしながら、シースチューブは硬い材質特性を有しており、その外部に設すされる場合がある。この他に公知のシースチューブ光ファイバー技術によれば、光ファイバー裸線は裁断作業の後に、光ファイバー溶接プロセスを実施しなければ、もう一つの光ファイバーまたは光ファイバープラグに接続することはできない。よって、この種の構造には光ファイバー溶接機を用いて、もう一つの光ファイバーまたはコネクタに継ぎ合わせなければならず、使用の利便性が大幅に低下する。
【課題を解決するための手段】
【０００４】
前述した説明から、公知の接続プラグを有するシースチューブ光ファイバーはなお欠点を有しており、不足があることが分かる。そのために考案者が研究を重ねた結果、本考案の接続プラグを有するシースチューブ光ファイバーを考案した。
本考案の主な目的は、接続プラグを有するシースチューブ光ファイバーを提供する。主に光ファイバーケーブルと、光ファイバー接続具と、外付けプラグとを組み合わせてなる。そのうち、光ファイバー接続具を用いて光ファイバーケーブルの端部に固定し、光ファイバー本体を露出して置く。引き続き、光ファイバー接続具を外付けプラグの内部に結合し、光ファイバー本体を外付けプラグの外付け端と光接続する。
この設計によれば、本考案の接続プラグを有するシースチューブ光ファイバーを光ファイバーケーブルの光ファイバー本体と、シースチューブ層と、ケーブル外壁層とを同時に固定することができる。さらに、外付けプラグを介して、外部装置または外部光ファイバープラグと直接に信号接続することができる。
【０００５】
前述の目的を達成するために、接続プラグを有するシースチューブ光ファイバーを提供する。光ファイバーケーブルは主に、光ファイバー接続具と、外付けプラグとを組み合わせてなる。そのうち、シースチューブを係る光ファイバー本体の外部を覆い、かつ係る緩衝層をシース層と、ケーブル外壁層との間に設ける。係る光ファイバー接続具を光ファイバーケーブルの端部に覆設し、かつ係る光ファイバー接続具は光ファイバー本体開口部を有する。そのうち、係る光ファイバー本体の一つの端部は光ファイバー開口部を介して、係る光ファイバー接続具の先端部に露出させる。外付けプラグは、外付け端と接続具結合端とを有する。そのうち、光ファイバー接続具は接続具結合端にある接続具収容溝の内部に挿設することによって、係る光ファイバー接続具の先端部に露出する光ファイバー本体を外付けプラグに挿入して、係る外付け端と光接続を形成する。
【図面の簡単な説明】
【０００６】
【図１】本考案による接続プラグを有するシースチューブの光ファイバーの立体図である。
【図２】接続プラグを有するシースチューブの光ファイバーの分解図である。
【図３】本考案による外付けプラグの分解図である。
【図４】本考案の光ファイバーケーブルと、光ファイバー接続具とを結合した態様を示す立体図である。
【図５】光ファイバー接続具の分解図である。
【図６】本考案による収容溝の立体図である。
【図７】本考案による上部被覆体の立体図である。
【図８】光ファイバーケーブルの構造を示す図である。
【考案を実施するための形態】
【０００７】
本考案の接続プラグを有するシースチューブ光ファイバーをより詳しく説明するため、図面と合わせて、好ましい実施例を以下のとおり詳細に説明する。
【実施例】
【０００８】
図１ないし８の、それぞれ本考案の接続プラグを有するシースチューブ光ファイバーの立体図、分解図、本考案の外付けプラグの分解図、本考案の光ファイバーケーブルと光ファイバー接続具との結合を示す立体図、光ファイバー接続具の分解図、本考案の収容体の立体図、本考案の上部被覆体の立体図及び、光ファイバーケーブルの構造を示す図を参照する。
図に示すように、本考案の接続プラグを有するシースチューブ光ファイバー１は、光ファイバーケーブル１１と、光ファイバー接続具１２と、外付けプラグ１３とを組み合わせてなる。そのうち、光ファイバー接続具１２に光ファイバーケーブル１１の端部を収容した上、引き続き光ファイバー接続具１２を係る外付けプラグ１３の内部に取り付ける。これにより、外付けプラグ１３が光ファイバー接続の機能を果たし、外付けプラグ１３を外部コネクタに挿設したとき、光ファイバーケーブル１１の光信号を外付けプラグ１３を介して伝送することができる。
【０００９】
より詳しく説明すると、本考案の光ファイバーケーブル１１は、光ファイバー本体１１１と、シースチューブ層１１４と、緩衝層と、ケーブル外壁層１１３から構成されている。そのうち、係るシースチューブ層１１４を係る光ファイバー本体１１１の外部に覆っていて、かつ係る緩衝層をシースチューブ層１１４と、係るケーブル外壁層１１３との間に設ける。
本実施例において、係るシースチューブ層１４はらせん金属から構成され、係るらせん金属は弾性特性を有しており、外力によって引き伸ばすことができる。この設計によれば、シースチューブ層１１４を一定程度に屈折できるほか、その内部を覆う光ファイバー本体１１１は、係るらせん金属を引っ張ることによって露出させ、裁断または加工プロセスを実施することができる。このほかに、係る緩衝層は複数本の芳香族ナイロン繊維１１２から構成され、緩衝層に芳香族ナイロン繊維を設計することにより、シースチューブ層１１４とケーブル外壁層の過度な摩擦による損傷を避けられ、光ファイバー製品全体の良品率を向上できる。
【００１０】
さらに、係る光ファイバー接続具１２を係る光ファイバーケーブル１１の端部を覆設して置き、係る光ファイバー接続具１２は光ファイバー本体開口部１２３を有する。そのうち、係る光ファイバー本体１１１の一つの端部は光ファイバー本体開口部１２３を通して、係る光ファイバー接続具１２の先端から露出される。このほかに、係る外付けプラグ１３は、外付け端１３４と、接続具結合端１３２とを含む。そのうち、係る光ファイバー接続具１２を係る接続具結合端１３２に備える接続具収容溝１３２２の内部に挿設することによって、係る光ファイバー接続具１２先端から露出する光ファイバー本体１１１を外付けプラグ１３に挿入して、係る外付け端１３４と光接続する。
【００１１】
さらに、本考案において、係る光ファイバー接続具１２は収容体１２１と、上部被覆体１２２とを組み合わせてなる。そのうち、係る収容体１２１にはケーブル収容溝１２１１と、第１光ファイバー本体開口部１２１３と、光ファイバー本体固定ブロック１２１４と、複数の上部被覆体結合具１２１６とが形成されている。
さらに、係る上部被覆体１２２に繊維収容溝１２２１と、第２光ファイバー本体開口部１２２２とを形成し、光ファイバー本体の両側に設ける２つの収容体結合具１２２４と、本体固定ブロック結合口１２２３とを含む。
【００１２】
引き続き、係る収容体１２１と上部被覆体１２２は、それぞれ上部被覆体結合具１２１６と、収容体結合具１２２４とを介し互いに結合していて、かつ上部被覆体１２２が収容体１２１に結合されているときに、第１光ファイバー本体開口部１２１３と、第２光ファイバー本体開口部１２２２とを囲い込んで光ファイバー本体開口部１２３を形成する。
さらに、ケーブル収容溝１２１１の内壁に複数の固定用突起状ブロック１２１２を形成しており、係る光ファイバー本体固定ブロック１２１４にＶ溝１２１７を形成していて、かつ係るＶ溝１２１７の内壁に複数の取付突起縞１２１５を形成している。
【００１３】
特に説明することは、前述の構造設計において、取付突起縞１２１５と、固定用突起状ブロック１２１２の設置によって、光ファイバーケーブル１１を光ファイバー接続具１２の内部にて一層に固定して置き、光ファイバーケーブル１１がずれることによる光接続効果の低下を避ける。このほかに、係る上部被覆体１２２を係る収容体１２１に結合させたとき、係る光ファイバー本体固定ブロック１２１４が貫いて、係る光ファイバー本体固定ブロック結合口１２２３に取り付け、かつ光ファイバーケーブル１１の端部を係る光ファイバー接続具１２で覆っているときに、係る芳香族ナイロン繊維１１２は係る繊維収容溝１２２１を介して、光ファイバー接続具１２の外部に露出される。
【００１４】
このような設置によれば、光ファイバーケーブルの一端を光ファイバー接続具へ緊密に結合して、端部保護の効果を達成するとともに、光ファイバー本体を露出または突き出す設計により、光ファイバー本体を外付けプラグの内部に挿入して光接続を実現する。このほかに、使用者が直接に係る光ファイバー本体の加工や連結をすることができる。また、芳香族ナイロン繊維を露出させると共に繊維収容溝に固定及び取付けることにより、芳香族ナイロン繊維を光ファイバーケーブルに圧迫することが避けられ、本考案の接続プラグを有するシースチューブ光ファイバー使用の利便性と製品の良品率をさらに向上できる。
【００１５】
本考案において、係る外付けプラグ１３は外付け端蓋体１３１と、光ファイバー接続具締結素子１３３と、をさらに含む。そのうち、係る外付け端蓋体１３１は外付けプラグ１３の外付け端１３４に被せることができ、かつ外付け端子保護部１３１１を形成して、外付け端１３４の端子１３４１に対応し覆う。係る光ファイバー接続具締結素子１３３は光ファイバーケーブル被覆ブロック１３３１を有し、係る光ファイバー接続具締結素子１３３が係る光ファイバー接続具１２を覆って接続具結合端１３２に締結し、光ファイバー接続具１２を係る接続具収容溝１３２２の内部に挿設して結合される。
【００１６】
図１ないし３に示すように、係る光ファイバー接続具締結素子１３３は係る接続具結合端１３２のねじ山１３２１を介して接続具結合端１３２に締結され、さらに係る接続具結合端１３２にてＶ字繊維収容切り欠き１３２３を更に開けられる。係る光ファイバー接続具１２を接続具収容溝１３２２の内部に挿設するとき、係る芳香族ナイロン繊維１１２が係るＶ字繊維収容切り欠き１３２３を通して露出することができる。
【００１７】
前述したとおり、本考案の接続プラグを有するシースチューブ光ファイバーに係る構成素子と構造ならび技術特徴を明確かつ完全に説明した。以上の説明から分かるように、本考案の光ファイバー接続具は外付けプラグとさらに結合することができる。このように、光ファイバーケーブルは外付けプラグによって、他の装置または光ファイバープラグと信号伝送などが可能であり、製品使用の利便性を向上できる。
【００１８】
特に強調したいことは、以上の詳細な説明は本考案の好ましい実施例に対する具体的な説明にすぎず、それらの実施例は本考案になんらの制限を加わるものではない。本考案の技術精神に基づく等効果の応用又は変更は、すべて本考案の実用新案登録請求の範囲に含める。
【符号の説明】
【００１９】
１        接続プラグを有するシースチューブ光ファイバー
１１      光ファイバーケーブル
１２      光ファイバー接続具
１３      外付けプラグ
１１１    光ファイバー本体
１１４    シースチューブ層
１１２    芳香族ナイロン繊維
１２１    収容体
１１３    ケーブル外壁層
１２２    上部被覆体
１２３    光ファイバー本体開口部
１３１    外付け端蓋体
１３２    接続具結合端
１３４    外付け端
１３３    光ファイバー接続具締結素子
１２１２  固定用突起状ブロック
１３３１  光ファイバーケーブル被覆ブロック
１２１５  取付突起縞
１２１３  第１光ファイバー本体開口部
１２１７  Ｖ溝
１２１４  光ファイバー本体固定ブロック
１２２１  繊維収容溝
１２１６  上部被覆体結合具
１３２１  ねじ山
１２２２  第２光ファイバー本体開口部
１３４１  端子
１２２３  光ファイバー本体固定ブロック結合口
１２２４  収容体結合具
１３１１  外付け端子保護部
１３２２  接続具収容溝
１３２３  Ｖ字繊維収容切り欠き
１２１１  ケーブル収容溝
【図１】
0003201389.tif 000003
【図２】
0003201389.tif 000004
【図３】
0003201389.tif 000005
【図４】
0003201389.tif 000006
【図５】
0003201389.tif 000007
【図６】
0003201389.tif 000008
【図７】
0003201389.tif 000009
【図８】
0003201389.tif 000010
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
接続プラグを有するシースチューブ光ファイバーであって、
光ファイバー本体と、シースチューブ層と、緩衝層と、ケーブル外壁層から構成され、
前記シースチューブ層を前記光ファイバー本体の外部に覆っていて、かつ前記緩衝層を前記シースチューブ層と、前記ケーブル外壁層との間に設ける光ファイバーケーブルと、
前記光ファイバーケーブルの端部を覆設していて、光ファイバー本体開口部を有し、そのうち、前記光ファイバー本体の一つの端部は前記光ファイバー本体開口部を通して先端から露出する光ファイバー接続具と、
外付け端と、接続具結合端とを含む外付けプラグと、を含み、
前記光ファイバー接続具を前記接続具結合端に備える接続具収容溝の内部に挿設することによって、前記光ファイバー接続具の先端から露出する光ファイバー本体を前記外付けプラグに挿入して、前記外付け端と光接続することを特徴とする、
シースチューブ光ファイバー。
【請求項２】
前記シースチューブ層はらせん金属から構成していて、かつ前記らせん金属は弾性特性を有し外力によって引き伸ばすことができ、前記緩衝層は複数本の芳香族ナイロン繊維から構成することを特徴とする、請求項１記載の接続プラグを有するシースチューブ光ファイバー。
【請求項３】
ケーブル収容溝と、第１光ファイバー本体開口部と、光ファイバー本体固定用ブロックと、複数の上部被覆体結合具とを構成する収容体と、繊維収容溝と、第２光ファイバー本体開口部と、両側に形成する２つの収容体結合具と、光ファイバー本体固定ブロック結合口とを構成する上部被覆体と、を含み、前記収容体と前記上部被覆体は前記上部被覆体結合具を介して、前記収容体結合具と互いに結合され、前記上部被覆体を前記収容体に結合しているとき、前記第１光ファイバー本体開口部と、前記第２光ファイバー本体開口部とを囲い込んで前記光ファイバー本体開口部を形成し、前記ケーブル収容溝に複数の固定用突起ブロックをその内壁に形成していて、かつ前記光ファイバー本体固定用ブロックにＶ溝を形成し、前記Ｖ溝の内壁に複数の取付突起縞を形成し、前記上部被覆体を前記収容体に結合しているとき、前記光ファイバー本体固定ブロックが貫いて、前記光ファイバー本体固定ブロック結合口の内部に取り付けられ、前記光ファイバーケーブルの端部を前記光ファイバー接続具で覆うときは、前記芳香族ナイロン繊維は前記繊維収容溝を貫いて、前記光ファイバー接続具の外部に露出することを特徴とする、請求項２記載の接続プラグを有するシースチューブ光ファイバー。
【請求項４】
前記外付けプラグは、前記外付けプラグの外付け端に蓋閉めて外付け端子保護部を形成し、外付け端の端子に対応して覆う外付け端蓋体と、光ファイバー接続具締結素子を有し、前記光ファイバー接続具締結素子は、前記光ファイバー接続具を覆わせることによって前記接続具結合端に締結され、前記光ファイバー接続具を前記接続具収容溝の内部に挿設して結合する光ファイバー接続具締結素子と、を含み、前記光ファイバー接続具締結素子は前接続具結合端のねじ山を介して前記接続具結合端に締結され、さらに前記接続具結合端にＶ字繊維収容切り欠きを更に開けられ、前記光ファイバー接続具を前記接続具収容溝の内部に挿設しているとき、前記芳香族ナイロン繊維が前記Ｖ字繊維収容切り欠きを通して露出することができることを特徴とする、請求項２記載の接続プラグを有するシースチューブ光ファイバー。